(57)【要約】【課題】  架空電線２に平行に張架される鳥害防止用索条３を保持する保持具１を、簡略化された軽量な構成で実現する。【解決手段】  電線２の上方を電線２の周方向に跨ぐ跨ぎ部１１と、一対の受け部１６，１７であって、跨ぎ部１１の周方向両端部１２，１３にそれぞれ連なり、電線２が挿入間隙２４から案内間隙２５，２６を経て、跨ぎ部１１とともに形成される挿通孔２１に挿入される受け部１６，１７と、索条３が挿通する一対の取付け孔３５，３６が形成され、跨ぎ部１１の上部１４と索条３とを連結する連結手段３１とを有する。跨ぎ部１１の上部内面の下方に間隔Ｈ１をあけて、電線２の上部外面が位置し、受け部１６，１７の下部内面と挿通孔２１を挿通する長尺体２の下部外面が当接する。【選択図】      図１
2016129471.tif 000002
【特許請求の範囲】
【請求項１】
長尺体の上方に、長尺体と平行に張架される鳥害防止用索条の保持具において、
（ａ）長尺体の上方を、長尺体の周方向に跨ぐ跨ぎ部と、
（ｂ）一対の受け部であって、
跨ぎ部の周方向両端部にそれぞれ連なって周方向に延び、
長尺体の軸線方向にずれて配置され、
上方に凹状に弯曲し、
跨ぎ部とともに、長尺体が挿通する挿通孔を形成し、
各受け部間に、長尺体に保持具を嵌着させるための挿入間隙が形成され、
各受け部の遊端部と跨ぎ部の周方向両端部との間に、長尺体を挿入間隙から挿通孔に案内して挿通する案内間隙を形成する受け部と、
（ｃ）跨ぎ部の上部と索条とを連結する連結手段とを含むことを特徴とする鳥害防止用索条の保持具。
【請求項２】
長尺体と索条との各軸線は、共通な一鉛直面内にあり、
連結手段は、跨ぎ部の上部に設けられる取付け片を有し、
この取付け片には、跨ぎ部に関して長尺体の軸線方向の両側に、索条が挿通する一対の各取付け孔がそれぞれ形成され、
各取付け孔の軸線は、前記鉛直面内にあり、
各取付け孔間には、索条を屈曲させて、前記鉛直面に斜めに交差して係止する屈曲係止部を有することを特徴とする請求項１記載の鳥害防止用索条の保持具。
【請求項３】
跨ぎ部または受け部の少なくともいずれかに、挿通孔の軸線に垂直な仮想平面に関して予め定める一方側に臨んで表示部が形成され、この表示部は、
本件保持具を、挿入間隙が長尺体の軸線に平行となる方向に角変位した姿勢から、挿入間隙２４内の長尺体を案内間隙を経て挿通孔へ挿通するために、本件保持具を角変位する挿通角変位方向と、
前記角変位した姿勢において、一対の取付け孔に挿通される索条の張力によって本件保持具に作用する角変位方向とが一致するようにしたことを特徴とする請求項２記載の鳥害防止用索条の保持具。
【請求項４】
跨ぎ部の周方向両端部に、抜け止め突部がそれぞれ形成され、
この抜け止め突部は、案内間隙に臨み、挿通孔の軸線方向に延びることを特徴とする請求項１〜３のうちのいずれか１つに記載の鳥害防止用索条の保持具。
【発明の詳細な説明】
【技術分野】
【０００１】
本発明は、たとえば架空電線および屋外の手すりなどの長尺体に、鳥が飛来して停まることを防ぐために、長尺体に沿って平行に配置されるワイヤ、線状体などの索条を、保持する鳥害防止用索条の保持具に関する。
【背景技術】
【０００２】
典型的な従来技術の索条保持具は、たとえば特許文献１、２に開示される。この特許文献１、２では、電柱間の架空電線への鳥の飛来を防止するために、電線に平行に張架される索条を、その長尺方向に間隔をあけて電線に保持する複数の各保持具が設けられる。索条保持具は、比較的複雑な構成を有し、重量が大きい。したがって、保持具によって電線に作用する不所望な張力を軽減することが望まれる。
【先行技術文献】
【特許文献】
【０００３】
【特許文献１】特許４６６９２７７
【特許文献２】特許４７４０９１１
【発明の概要】
【発明が解決しようとする課題】
【０００４】
本発明の目的は、構成が簡略化された軽量な鳥害防止用索条の保持具を提供することである。
【課題を解決するための手段】
【０００５】
本発明は、
長尺体２の上方に、長尺体２と平行に張架される鳥害防止用索条３の保持具１において、
（ａ）長尺体２の上方を、長尺体２の周方向に跨ぐ跨ぎ部１１と、
（ｂ）一対の受け部１６，１７であって、
跨ぎ部１１の周方向両端部１２，１３にそれぞれ連なって周方向に延び、
長尺体２の軸線方向にずれて配置され、
上方に凹状に弯曲し、
跨ぎ部１１とともに、長尺体２が挿通する挿通孔２１を形成し、
各受け部１６，１７間に、長尺体２に保持具１を嵌着させるための挿入間隙２４が形成され、
各受け部１６，１７の遊端部１８，１９と跨ぎ部１１の周方向両端部１２，１３との間に、長尺体２を挿入間隙２４から挿通孔２１に案内して挿通する案内間隙２５，２６を形成する受け部１６，１７と、
（ｃ）跨ぎ部１１の上部と索条３とを連結する連結手段３１とを含むことを特徴とする鳥害防止用索条の保持具である。
【０００６】
本発明によれば、保持具１は、上部が連結手段３１によって索条３と連結される跨ぎ部１１と、跨ぎ部１１の周方向両端部１２，１３にそれぞれ連なって周方向に延びる一対の受け部１６，１７とを有し、受け部１６，１７によって、長尺体２を挿入間隙２４から案内間隙２５，２６を経て挿通孔２１に挿通するように構成される。このような、保持具１は、その構成が簡略化され軽量であり、そのため保持具１を長尺体２に嵌着したときの、長尺体２に作用する不所望な張力が軽減される。また保持具１の構成が簡略化されることによって、合成樹脂の射出成形などによる大量生産が容易である。合成樹脂としては、たとえばポリカーボネート、ＡＢＳ(Acrylonitrile-Butadiene-Styrene)、ＡＥＳ(Acrylonitrile-Ethylene-Styrene)、ポリプロピレンのうちのいずれか１つを選択的に用いることができる。さらに長尺体２が、保持具１の挿通孔２１に挿通されるように、保持具１を長尺体２に装着する作業が簡単であるので、長尺体２が高所に張架される電線などである場合、作業者の安全が確保される。
【０００７】
本発明は、
長尺体２と索条３との各軸線５，６は、共通な一鉛直面（ｘｚ平面、図１）内にあり、
連結手段３１は、跨ぎ部１１の上部に設けられる取付け片３２，３３を有し、
この取付け片３２，３３には、跨ぎ部１１に関して長尺体２の軸線方向の両側に、索条３が挿通する一対の各取付け孔３５，３６がそれぞれ形成され、
各取付け孔３５，３６の軸線は、前記鉛直面内にあり、
各取付け孔３５，３６間には、索条３を屈曲させて、前記鉛直面に斜めに交差して係止する屈曲係止部３８，３９を有することを特徴とする。
【０００８】
本発明によれば、連結手段３１の取付け片３２，３３には、索条３が挿通する一対の取付け孔３５，３６が形成され、各取付け孔３５，３６の軸線は、長尺体２と索条３との各軸線５，６が共通に存在する鉛直面内にある。そのため、索条３に長尺体２の長尺軸線５方向の張力が作用して張架されることによって、保持具１は、その挿通孔２１が長尺体２の長尺軸線５に垂直である姿勢に保たれ、すなわち挿通孔２１の軸線２２が長尺体２の長尺軸線５に一致する。したがって、跨ぎ部１１の挿通孔２１を規定する上部内面の下方に間隔Ｈ１をあけて、挿通孔２１を挿通する長尺体２の上部外面が位置し、受け部１６，１７の下部内面と挿通孔２１を挿通する長尺体２の下部外面が当接したままで、索条３が保持される状態が安定して維持される。
【０００９】
長尺体２がたとえば電線であって、その電線が着脱可能な電気絶縁性保護筒で覆われている場合、受け部１６，１７の下部内面と保護筒の下部外面が当接する。
【００１０】
一対の取付け孔３５，３６が形成される取付け片３２，３３は、跨ぎ部１１と一体的に射出成形などによって形成されてもよい。他の実施の形態では、一対の取付け孔３５，３６は跨ぎ部１１自体に形成されてもよく、すなわち跨ぎ部１１の一部が取付け片３２，３３を構成し、この構成も、本発明の精神に含まれる。
【００１１】
各取付け片３２，３３には、索条３を取付け孔３５，３６に挿通案内するために、取付け孔３５，３６の周方向に切欠き５６，５７が形成されてもよく、これによって、索条３を取付け孔３５，３６に挿通する作業を簡略化することができる。
【００１２】
一対の各取付け孔３５，３６は、跨ぎ部１１に関して長尺体２の軸線方向の一方側にいずれも形成されてもよい。
【００１３】
取付け片３２，３３の各取付け孔３５，３６間には、索条３を屈曲させて、前記鉛直面に斜めに交差して係止する屈曲係止部３８，３９が形成されるので、本件保持具１に、索条３の軸線方向に沿って力が作用したとき、保持具１が不所望にずれて移動することが抑えられ、索条３の希望する位置での保持が確実になる。
【００１４】
本発明は、
跨ぎ部１１または受け部１６，１７の少なくともいずれかに、挿通孔２１の軸線２２に垂直な仮想平面に関して予め定める一方側に臨んで表示部４１〜４３が形成され、この表示部４１〜４３は、
本件保持具１を、挿入間隙２４が長尺体２の軸線５に平行となる方向に角変位した姿勢(図８（２））から、挿入間隙２４内の長尺体２を案内間隙２５，２６を経て挿通孔２１へ挿通するために、本件保持具１を角変位する挿通角変位方向と、
前記角変位した姿勢において、一対の取付け孔３５，３６に挿通される索条３の張力によって本件保持具１に作用する角変位方向とが一致するようにしたことを特徴とする。
【００１５】
本発明によれば、長尺体２がたとえば水平に配置されている状態で、長尺体２を挿通孔２１に挿通するために、長尺体２が挿入されるべき受け部１６，１７間の挿入間隙２４も水平になるように本件保持具１を操作するにあたり、跨ぎ部１１または受け部１６，１７の少なくともいずれかに形成された表示部４１〜４３を、予め定める上方にまたは下方に臨ませることによって、長尺体２の挿通孔２１への挿通を完了すれば、一対の取付け孔３５，３６に挿通される索条３の張力によって本件保持具１に作用する力は、挿通孔２１の軸線を長尺体２の長尺軸線に一致させる。この表示部４１〜４３によって、長尺体２への本件保持具１の装着のための操作が容易となる。このことは、特に高所で把持用工具のハンドを用いて操作をする際、把持用工具の操作のために、作業者が表示部４１〜４３を目で見て確認し、誤操作を防ぐために有利である。
【００１６】
本発明は、
跨ぎ部１１の周方向両端部１２，１３に、抜け止め突部２８，２９がそれぞれ形成され、
この抜け止め突部２８，２９は、案内間隙２５，２６に臨み、挿通孔２１の軸線２２方向に延びることを特徴とする。
【００１７】
本発明によれば、本件保持具１の挿通孔２１へ一旦、挿通された長尺体２が、その挿通孔２１から案内間隙２５，２６へ、さらには挿入間隙２４を経て抜けて離脱することが防がれる。
【図面の簡単な説明】
【００１８】
【図１】本発明の一実施の形態の鳥害防止用索条３の保持具１の使用状態を示す斜視図である。
【図２】電線２が電柱４５，４６間に張架された状態を示す簡略化した斜視図である。
【図３】保持具１の正面図である。
【図４】保持具１の平面図である。
【図５】保持具１の底面図である。
【図６】保持具１の左側面図である。
【図７】保持具１の右側面図である。
【図８】保持具１を把持して電線２を挿通孔２１に挿通する操作を示す簡略化したスケルトン図である。
【図９】保持具１を把持して電線２を挿通孔２１に挿通する操作の順序を示すフローチャートである。
【発明を実施するための形態】
【００１９】
図１は、本発明の一実施の形態の鳥害防止用索条３の保持具１の使用状態を示す斜視図である。長尺体である電線２の上方には、索条３が、本発明に従う保持具１によって保持される。
【００２０】
図２は、電線２が電柱４５，４６間に張架された状態を示す簡略化した斜視図である。電柱４５，４６近傍で電線２には、固定具４７，４８が固定され、この固定具４７，４８によって索条３の両端部が固定される。索条３は、電線２と平行に張架され、電線２と索条３との各軸線５，６（前述の図１）は、共通な一鉛直面５４（図１のｘｚ平面、後述の図３、図４）内にあり、この索条３が障害となって、鳥が電線２に停まることが防がれる。
【００２１】
図３は保持具１の正面図であり、図４は保持具１の平面図であり、図５は保持具１の底面図であり、図６は保持具１の左側面図であり、図７は保持具１の右側面図である。これらの図面を参照して、跨ぎ部１１は、電線２の上方を、電線２の周方向に跨ぐ。
【００２２】
一対の各受け部１６，１７は、跨ぎ部１１の周方向両端部１２，１３にそれぞれ連なって周方向に延び、電線２の軸線方向にずれて重なるように配置され、上方に凹状に弯曲し、跨ぎ部１１とともに、電線２が挿通する挿通孔２１を形成する。挿通孔２１は、その軸線２２に垂直な平面内で、跨ぎ部１１と受け部１６，１７とによって上下の半円形を含む全体の形状が小判形である。受け部１６，１７の下部内面は、上方に凹状に弯曲するので、軸直角断面が円形である電線２の下部外面と当接して、電線２を安定して受けることができる。
【００２３】
受け部１６，１７間には、電線２を挿通孔２１に挿入するための挿入間隙２４が形成される。各受け部１６，１７の遊端部１８，１９と跨ぎ部１１の周方向両端部１２，１３との間には、長尺体２を挿入間隙２４から挿通孔２１に案内して挿通する案内間隙２５，２６が形成される。跨ぎ部１１の周方向両端部１２，１３には、挿通孔２１の軸線２２方向に延びる抜け止め突部２８，２９が案内間隙２６，２５に臨んでそれぞれ形成される。
【００２４】
各受け部１６，１７の相互に対向して挿入間隙２４に臨む円弧状の周縁外周面５１，５２は、相互に近付くにつれて小径となるように、面取りされ、または傾斜面に形成される。これによって、電線２が図６および図７の下方から挿入間隙２４に挿入されることが、円滑になる。
【００２５】
跨ぎ部１１の上部１４と索条３とは、連結手段３１によって、連結される。連結手段３１において、跨ぎ部１１の上部１４には、取付け片３２，３３が一体的に設けられる。この取付け片３２，３３には、索条３が挿通する一対の各取付け孔３５，３６が、跨ぎ部１１に関して挿通孔２１の軸線２２方向の両側（図４の上下、図６、図７の左右）にそれぞれ形成される。各取付け孔３５，３６の軸線は、前記鉛直面５４（ｘｚ平面）内で鉛直に平行に延びる。各取付け孔３５，３６には、索条３を取付け孔３５，３６に挿通案内するために、取付け孔３５，３６の周方向に案内用切欠き５６，５７が形成される。これによって、索条３を取付け孔３５，３６に挿通する作業を簡略化することができる。
【００２６】
各取付け孔３５，３６間には、索条３を図１、図４の参照符３ａで示されるように屈曲させて、前記鉛直面５４（ｘｚ平面）に斜めに交差して係止する屈曲係止部３８，３９が、切り欠いてスリット状に形成される。
【００２７】
図８は本件保持具１を把持して電線２を挿通孔２１に挿通する操作を示す簡略化したスケルトン図であり、図９は本件保持具１を把持して電線２を挿通孔２１に挿通する操作の順序を示すフローチャートである。先ず図８（１）に示されるように、索条３を、連結手段３１の取付け孔３５，３６に切欠き５６，５７から挿入し、このとき、取付け孔３５，３６間で索条３ａを屈曲係止部３８，３９に係止する。この操作は、図９のステップａ１に示される。
【００２８】
次に図８（２）に示されるように、作業者が手で保持具１をたとえば連結手段３１の付近で把持し、挿通孔２１の軸線２２に垂直な角変位操作軸線５８まわりに反時計方向ｃｃｗに９０°角変位する。この操作は、図９のステップａ２に示される。この操作によって、電線２の軸線５と、挿入間隙２４とが平行となる。
【００２９】
そこで、保持具１を電線２に近接する方向に移動させ、電線２を挿入間隙２４内に挿入する。保持具１は、合成樹脂製であり、弾発的に変形可能であり、保持具１を電線２に近接する方向に移動させことによって、挿入間隙２４が挿入された電線２によって拡げられる。この操作は、図９のステップａ３に示される。
【００３０】
その後、図８（３）に示されるように、保持具１を角変位操作軸線５８まわりに時計方向ｃｗにたとえば４５°角変位し、挿入間隙２４内の電線２を、案内間隙２５，２６を経て挿通孔２１内へ導く。この操作は、図９のステップａ４に示される。
【００３１】
さらに、図８（４）に示されるように、保持具１を角変位操作軸線５８まわりに時計方向ｃｗにたとえば４５°角変位し、挿入間隙２４内の電線２を、案内間隙２５，２６から挿通孔２１内へ挿通させ、図１の状態となる。この操作は、図９のステップａ５に示され、ステップａ６で操作を終了する。図８（３）と、それに続く図８（４）とによって、保持具１は時計方向ｃｗに合計９０°角変位されて戻ることになる。
【００３２】
一対の取付け孔３５，３６に挿通される索条３に電線２と平行な張力が作用することによって、保持具１には、角変位操作軸線５８まわりに時計方向ｃｗのモーメントが作用する。この索条３の張力によって保持具１に作用するモーメントの時計方向ｃｗは、保持具１を、挿入間隙２４が電線２の軸線５に平行となる方向ｃｃｗに角変位した図８（２）の状態から、挿入間隙２４内の電線２を、案内間隙２５，２６を経て挿通孔２１へ挿通するために保持具１を角変位する図８（３）、図８（４）の挿通角変位方向ｃｗと同一である。したがって、保持具１の挿通孔２１に電線２が挿通されて、受け部１６，１７の下部内面が電線２の下部外面と当接する図１の状態が安定して維持される。
【００３３】
跨ぎ部１１または受け部１６，１７の少なくともいずれかに、図示の実施の形態では、跨ぎ部１１および受け部１６に、表示部４１〜４３が形成される。表示部４１〜４３は、挿通孔２１の軸線２２に垂直な仮想平面（ｚｙ平面、図１参照、図３の紙面）に関して予め定める一方側（図３の紙面上方）に臨み、図８（２）の操作時には、上方に臨む。作業者は、図８（２）の操作時に表示部４１〜４３が上方にあることを確認して、電線２の挿通孔２１への挿通作業を開始する。もし、表示部４１〜４３を誤って下方の姿勢にすれば、図１の状態を達成できず、索条３の張力によって保持具１に不所望なモーメントが作用して、電線２に対して捩れた状態が維持されてしまう。本発明の他の実施の形態では、図８（２）の操作時における保持具１の姿勢を表示するために、表示部４１〜４３は、突起でもよいが、凹部でもよく、他の構成によって表示するようにしてもよい。
【００３４】
保持具１の跨ぎ部１１、受け部１６，１７および抜け止め突部２８，２９の外周面には、連続した細長い凹条６１が形成され、これによって軽量化が図られる。凹条６１の両側部は、リブを構成し、強度が向上されるとともに、電線２の挿通孔２１への挿入操作および挿通孔２１からの離脱操作の際における弾発力を発揮する。
【００３５】
作業者が手で上述の操作をする代りに、間接工法で用いられる把持用工具のハンドなどによって同様な操作をすることもできる。
【００３６】
固定具４７，４８は、索条３に張力を与えたままでその両端部を電線２に固定し、その構成の一例は、電線が嵌合可能な凹状部を有する保持具本体と、保持具本体に設けられ索条を係止する索条係止手段と、凹状部側に一端部が突出し、凹状部とは反対側に他端部が突出するように、保持具本体に装着されるねじ部材であって、前記一端部側に雄ねじが形成される第１ねじ部と、第１ねじ部よりも前記他端部側に第１ねじ部とは旋回方向が逆方向の雄ねじが形成される第２ねじ部とを有するねじ部材と、第１ねじ部に螺合する雌ねじが形成される第１螺合部を有しねじ部材の回転によって電線に近接／離反する方向に変位自在に設けられる押圧体と、保持具本体に設けられ、第２ねじ部が挿通して螺合する雌ねじが形成される第２螺合部とを含む。
【００３７】
この固定具４７，４８の構成によれば、保持具本体に、凹状部側に一端部が突出し、凹状部とは反対側に他端部が突出するねじ部材が設けられ、このねじ部材は、一端部側に雄ねじが形成される第１ねじ部と、第１ねじ部よりも他端部側に前記第１ねじ部とは旋回方向が逆方向の雄ねじが形成される第２ねじ部とを有し、ねじ部材の第１ねじ部は、凹状部から突出する一端部に押圧体の第１螺合部が螺合し、第２ねじ部は第２螺合部の雌ねじに螺合し、ねじ部材の回転によって押圧体を高速で電線に近接させ、あるいは離反させることができる。これによって、索条保持具の電線への取付け作業および電線からの索条保持具の取外し作業におけるねじ部材の回転操作量を少なくして、取付け作業および取外し作業に要する手間および時間を削減し、取付け作業および取外し作業の容易性を向上することができる。
【符号の説明】
【００３８】
１  保持具
２  長尺体
３  鳥害防止用索条
１１  跨ぎ部
１６，１７  受け部
２１  挿通孔
２４  挿入間隙
２５，２６  案内間隙
２８，２９  抜け止め突部
３１  連結手段
３２，３３  取付け片
３５，３６  取付け孔
３８，３９  屈曲係止部
４１〜４３  表示部
４７，４８  固定具
５４  鉛直面
【図１】
2016129471.tif 000003
【図２】
2016129471.tif 000004
【図３】
2016129471.tif 000005
【図４】
2016129471.tif 000006
【図５】
2016129471.tif 000007
【図６】
2016129471.tif 000008
【図７】
2016129471.tif 000009
【図８−１】
2016129471.tif 000010
【図８−２】
2016129471.tif 000011
【図９】
2016129471.tif 000012